(57)【要約】【課題】本発明は、映像情報を不過分なく、記録することができるドライブレコーダを提供することを目的とする。【解決手段】第１の記録条件が成立した場合に第１のイベントに関する情報を収集し、第１のイベントに関する情報を記録させるように制御する制御部（２４）を有し、制御部は、第１の記録条件の成立後に発生する第２の記録条件の成立タイミングに応じて、第１のイベントに関する情報の記録を継続させるか、第１のイベントとは異なる第２のイベントとして記録させるかを判別することを特徴とするドライブレコーダ（２）。【選択図】図１３
2010061671.tif 000002
【特許請求の範囲】
【請求項１】
第１の記録条件が成立した場合に第１のイベントに関する情報を収集するドライブレコーダであって、
前記第１のイベントに関する情報を記録させるように制御する制御部を有し、
前記制御部は、前記第１の記録条件の成立後に発生する第２の記録条件の成立タイミングに応じて、前記第１のイベントに関する情報の記録を継続させるか、前記第１のイベントとは異なる第２のイベントとして記録させるかを判別する、
ことを特徴とするドライブレコーダ。
【請求項２】
前記制御部は、少なくとも前記第１の記録条件の成立後の第１の所定時間における情報を前記第１のイベントに関する情報として記録させ、
前記制御部は、
前記第１の所定時間より小さい第２の所定時間経過後且つ前記第１の所定時間が経過するまでに前記第２の記録条件が成立する場合は、前記第１の所定時間経過後も前記第１のイベントに関する情報の記録を継続させ、
前記第１の所定時間経過後に前記第２の記録条件が成立する場合は、少なくとも前記第２の記録条件の成立後の第１の所定時間における情報を前記第２のイベントに関する情報として記録させるように制御する、請求項１の記載のドライブレコーダ。
【請求項３】
前記制御部は、前記第２の所定時間が経過するまでに前記第２の記録条件が成立する場合は、前記第１の所定期間経過時に前記第１のイベントに関する情報の記録を終了させる、請求項２に記載のドライブレコーダ。
【請求項４】
前記制御部が前記第１の所定時間経過後も前記第１のイベントに関する情報の記録を継続させることは、前記第１のイベントに関する情報の記録を延長することである、請求項２又は３に記載のドライブレコーダ。
【請求項５】
前記制御部は、前記第１のイベントに関する情報の記録を延長している延長期間中に、第３の記録条件が成立した場合には、前記第１のイベントに関する情報の記録を延長期間経過時に終了させる、請求項４に記載のドライブレコーダ。
【請求項６】
前記制御部は、前記延長期間経過後に、第４の記録条件が成立した場合には、少なくとも前記第４の記録条件の成立後の第１の所定時間における情報を、前記第１のイベントとは異なる第４のイベントに関する情報として記録させるように制御する、請求項４又は５に記載のドライブレコーダ。
【請求項７】
前記制御部は、記録条件の成立前の第３の所定時間から記録条件の成立後の第１の所定期間における情報をイベントに関する情報として記録させ、
前記制御部は、前記第１の記録条件成立後の第１の所定期間または前記延長期間中における前記第１のイベントに関する情報と、前記第１のイベントとは異なる他のイベントの前記第３の所定時間中における情報とが重複して記録されるように制御する、請求項２〜６の何れか一項に記載のドライブレコーダ。
【発明の詳細な説明】
【技術分野】
【０００１】
本発明は、ドライブレコーダに関し、加速度センサによる加速度を検出して映像情報を記録するドライブレコーダに関する。
【背景技術】
【０００２】
従来、車両に設置したカメラにより車両周辺の映像を撮影し、衝突や急ブレーキなど車両に衝撃が加わった際に周辺映像や車両速度を記録する車載用映像等記録装置、いわゆるドライブレコーダが提案されている。ドライブレコーダを車両に備えることにより、事故が発生した場合には記録した情報を解析することにより、事故原因を検証することが可能となっている。また、運転手の安全運転意識の向上が図れるとともに、日頃の運転状況を記録した映像を安全運転指導など役立てることができる。
【０００３】
特許文献１及び２は、車載カメラにより撮影した映像を循環的に記憶し、事故発生時に記憶した映像を他の記録媒体に記録するドライブレコーダが開示されている。また、特許文献３及び４は、車両速度や変速機のシフト位置など走行データを循環記憶し、事故発生時に記憶した走行データを他の記録媒体に記録するドライブレコーダが開示されている。
【先行技術文献】
【特許文献】
【０００４】
【特許文献１】特開昭６３−１６７８５号公報
【特許文献２】特開平０６−２３７４６３号公報
【特許文献３】特開平０６−３３１３９１号公報
【特許文献４】特開平０６−１８６０６１号公報
【発明の概要】
【発明が解決しようとする課題】
【０００５】
ドライブレコーダに搭載された加速度センサによって、車両にかかる加速度情報を検出すると、連続して急ブレーキ操作を行った場合や、急ブレーキ操作直後に車両が障害物と衝突した場合等、連続して加速度センサが高い加速度情報を検出する場合がある。
ドライブレコーダにおいて、加速度センサからの加速度情報が閾値以上となった場合に、記録条件が成立したものと判断して、記録条件が成立した時点の前所定時間及び後所定時間の映像情報を記録素子へ記録すると、連続して加速度センサからの加速度情報が閾値を超えた場合、記録条件が成立した時点のそれぞれに対応して、記録条件が成立した時点の前所定時間及び後所定時間の映像情報を記録素子へ記録することとなる。
即ち、短時間の間に連続して加速度センサが閾値以上の加速度情報を検出した場合、容量の限られた記録素子に、重複して同じ映像情報が記録素子に記録される可能性があった。
【０００６】
そこで、本発明は、映像情報を不過分なく、記録することができるドライブレコーダを提供することを目的とする。
【課題を解決するための手段】
【０００７】
本発明に係るドライブレコーダは、第１の記録条件が成立した場合に第１のイベントに関する情報を収集し、第１のイベントに関する情報を記録させるように制御する制御部を有し、制御部は、第１の記録条件の成立後に発生する第２の記録条件の成立タイミングに応じて、第１のイベントに関する情報の記録を継続させるか、第１のイベントとは異なる第２のイベントとして記録させるかを判別することを特徴とする。
【発明の効果】
【０００８】
本発明に係るドライブレコーダによれば、比較的低い期間に加速度情報が再度閾値以上となった場合には、新たに映像情報の記録素子への記録を開始しないので、重複して同じ映像情報が記録素子に記録されず、容量の限られている記録素子を効率良く利用することが可能となった。
【図面の簡単な説明】
【０００９】
【図１】ドライブレコーダを車両に搭載した例を示す図である。
【図２】ドライブレコーダの等を車両に設置した例を示す図である。
【図３】ドライブレコーダ本体の斜視図である。
【図４】再生装置の外観例を示す図である。
【図５】ドライブレコーダの電気的構成を示すブロック図である。
【図６】電源制御回路の電気的構成を示すブロック図である。
【図７】再生装置の電気的構成を示すブロック図である。
【図８】ドライブレコーダの処理フローの一例を示す図である。
【図９】加速度センサの自己診断処理フローを示す図である。
【図１０】ドライブレコーダと加速度センサとの位置関係を示す図である。
【図１１】Ｇ値検出処理フローを示す図である。
【図１２】加速度センサ５の出力の確認処理を行うためのフローを示す図である。
【図１３】Ｇ検出の処理フローを示す図である。
【図１４】Ｇ検出による映像情報の記録例（１）を示す図である。
【図１５】Ｇ検出による映像情報の記録例（２）を示す図である。
【図１６】Ｇ検出による映像情報の記録例（３）を示す図である。
【図１７】Ｇ検出による映像情報の記録例（４）を示す図である。
【図１８】減電圧処理フロー（１）を示す図である。
【図１９】減電圧処理フロー（２）を示す図である。
【図２０】電圧低下状態を示す図である。
【図２１】モード切替フローを示す図である。
【図２２】再生順序を示す図である。
【図２３】メモリーカードの運用例のフローを示す図である。
【図２４】視野範囲の対応表を示す図である。
【図２５】映像情報を表示するための画面例を示す図である。
【図２６】運転状況分類処理フローを示す図である。
【図２７】サンプル列等を示す図である。
【図２８】ピークマスタファイルの一例を示す図である。
【図２９】編集画面の一例を示す図である。
【図３０】急発進の運転状況を示す典型的なパターンを示す図である。
【図３１】急ブレーキの運転状況を示す典型的なパターンを示す図である。
【図３２】通常ブレーキの運転状況を示す典型的なパターンを示す図である。
【図３３】左急ハンドルの運転状況を示す典型的なパターンを示す図である。
【図３４】右急ハンドルの運転状況を示す典型的なパターンを示す図である。
【発明を実施するための形態】
【００１０】
以下、本発明に係る実施の形態を図面を参照して詳細に説明する。なお、本発明の技術的範囲はこれらの実施の形態に限定されず、特許請求の範囲に記載された発明とその均等物に及ぶ。また、本発明の趣旨を逸脱しない範囲において種々の変更を付加した形態で実施することも可能である。
【００１１】
最初に、ドライブレコーダにおける情報の記録について説明する。
【００１２】
図１は、車両１にドライブレコーダ２を搭載した例を示す図である。
【００１３】
車両１内にドライブレコーダ２が設置され、車両１の前方を撮影する第１カメラ３及び車両１の後方を撮影する第２カメラ４と接続されている。第１カメラ３等による映像情報をドライブレコーダ２内の半導体記憶部１５に循環的に記憶する。所定の記録条件が成立すると、半導体記憶部１５に記憶された映像情報がメモリカード６に記録される。所定の記録条件とは、事故等の発生により車両１へ衝撃が加わった場合等を言い、詳細については後述する。
【００１４】
また、ドライブレコーダ２は、映像情報の他に、車両の速度情報などを含む運行情報を取得して、ドライブレコーダ２内の半導体記憶部１５に循環的に記憶する。運行情報は、前述した記録条件が成立した場合には、映像情報と関連付けられて映像情報と供にメモリカード６に記録される。運行情報の詳細については後述する。
【００１５】
図２は、ドライブレコーダ２を車両１に設置した例を示す図である。
【００１６】
ドライブレコーダ２は、例えば、ハンドルの左下方でセンターパネルの端等に固定され、第１カメラ３（及び図２には図示されない第２カメラ４）、ＧＰＳセンサ９、不図示の車速センサ１０、不図示のバッテリ２１、車載用の表示部３０等と電気的に接続されている。第１カメラ３は車室内ミラーの裏側のフロントガラス面に取り付けられ、車両前方を撮影し、映像情報をドライブレコーダ２へ送信する。
【００１７】
図３は、ドライブレコーダ２の本体の斜視図である。
【００１８】
ドライブレコーダ２には、マイクロフォン７、撮影スイッチ８、電源スイッチ２０、ＬＥＤ２５、ブザー２６、不図示の開閉センサ２７、開閉ノブ３１等を有している。
【００１９】
マイクロフォン７は車両１内の音声を集音する。撮影スイッチ８は、映像情報をドライブレコーダ２に記録するタイミングの決定、ドライブレコーダ２の初期化等のための諸入力に利用される。ＬＥＤ２５及びブザー２６は、発光や警告音等を発生させることによって、ドライブレコーダ２の状況をユーザに知らせる機能を有している。
【００２０】
開閉ノブ３１は、メモリカード６が後述するＩ／Ｆ１１を構成するスロットに挿入された後に、メモリカード６を保護するようにその上部にスライドされて位置決めされる（図３の状況）。メモリカード６を抜く場合には、開閉ノブ３１を矢印Ａの方向にスライドさせる。また、ドライブレコーダ２は、開閉ノブ３１に連動した開閉センサ２７を有しており、開閉ノブ３１がメモリカード６の上部にスライドされている状態（図３の状態）で、閉状態を示すＯＦＦ信号を出力し、メモリカード６を抜き出せる状態で、開状態を示すＯＮ信号を出力するように構成されている。
【００２１】
図４は、再生装置の外観例を示す図である。
【００２２】
メモリカード６に記録された映像情報及び運行情報等はパーソナルコンピュータ等から構成される再生装置４００により再生される。メモリカード６はパーソナルコンピュータに接続されたＩ／Ｆに挿入され、映像情報及び運行情報等が読み取られる。ユーザは再生された映像情報及び運行情報等を検証することによって、車両の走行状態又は事故原因の究明等を行うことができる。
【００２３】
図５は、ドライブレコーダ２の電気的構成を示すブロック図である。
【００２４】
第１カメラ３は、車両１の前方を撮影してアナログのビデオ信号を第１映像情報５００として出力するよう制御され、例えば二次元イメージセンサとしてＣＣＤイメージセンサ（Charge Coupled Device Image Sensor）やＣＭＯＳイメージセンサ（Complementary Metal Oxide Semiconductor Image Sensor）から構成される。
【００２５】
第２カメラ４は、２台目のカメラとして車両１に設置され、車両後方や車室内等のカメラ３と異なる方向を撮影してアナログのビデオ信号を第２映像情報５０１として出力するよう制御される。なお、カメラを１台のみ必要とする場合には第２カメラ４をドライブレコーダ２に接続する必要はない。
【００２６】
加速度センサ５は、車両１に加わる衝撃の大きさを重力加速度として検出する、いわゆるＧセンサ（Gravity Accelerative Sensor）で構成される。衝撃を受けるとその重力加速度に基づいた電流を発生する半導体からなり、車両の前後方向及び左右方向の重力加速度の大きさを検出して重力加速度情報５０２をＣＰＵ２４へ出力する。
【００２７】
メモリカード６は、ドライブレコーダ２から取り外し可能な記録媒体であり、プログラム可能な不揮発性半導体メモリカードであるＳＤカード（Secure Digital Memory Card）で構成される。メモリカード６には、映像情報及び運行情報が記録される。また、メモリカード６には、後述する記録条件、メモリカード６の固有のＩＤ、メモリカード６を利用する利用者（例えば、タクシー乗務員等）のＩＤ又は氏名のデータ等の諸情報が別途記録される。さらに、メモリカード６には、ディップスイッチが設けられており、ディップスイッチの操作によってメモリカード６を書き込み禁止状態にすることができるように構成されている。
【００２８】
なお、本実施の形態では取り外し可能な記憶媒体としてＳＤカードを用いているが、必ずしもこれに限定されるものではなく、取り外し可能な他のメモリカード（例えば、ＣＦカード（Compact Flash Card）又はメモリスティック等）、ハードディスク等を利用することもできる。また、メモリカード６の替わりに、ドライブレコーダ２にハードディスクを内蔵して用いることも可能であり、この場合にはドライブレコーダ２に送信回路を設け無線通信によりハードディスクに記録した映像情報及び運行情報を再生装置４００へ送信するよう構成すればよい。
【００２９】
マイクロフォン７は、ＣＰＵ２４と電気的に接続され、車両１の車室内または車外の音声を集音して音声情報５０３としてＣＰＵ２４へ送信するよう構成される。音声情報５０３はＣＰＵ２４内のアナログ／デジタル変換器でデジタル信号に変換される。なお、道路上の騒音を不必要に集音しないように、マイクロフォンの正面の感度が高い単一指向性マイクロフォンを用いることが好ましい。
【００３０】
撮影スイッチ（撮影ＳＷ）８は、ユーザにより操作されることにより、電気的に接続されたＣＰＵ２４へ信号を送信する。これにより、ＣＰＵ２４は第２ＲＡＭ１５に記憶された映像情報及び運行情報をメモリカード６に記録させるよう制御する。すなわち、撮影ＳＷ８の操作は記録条件の成立として作用する。なお、撮影ＳＷ８が操作された瞬間の映像情報のみをメモリカード６に記録するようにしてもよい。また、撮影ＳＷ８は、後述するように、ドライブレコーダ２の他の機能を利用するための操作手段としても利用される。
【００３１】
ＧＰＳ（Global Positioning System；全地球測位システム）受信機９は、複数のＧＰＳ衛星から衛星の軌道と、衛星に搭載された原子時計からの時刻データを含む電波信号を受信し、受信した電波の時間差により各衛星との相対的距離差を算出して現在地情報を得る。３個の衛星の電波を捉えれば地球上の平面での位置が判別できる。ＧＰＳ受信機９は、かかる現在地情報を検出すると、位置情報及び時刻情報からなるＧＰＳ情報５０４をＣＰＵ２４へ送信する。
【００３２】
車速センサ１０は、車両１の車輪軸に設けられたローターの回転を回転パルス信号５０５として出力し、磁気センサまたは光センサにより構成される。なお、ＣＰＵ２４は車速センサ１０から受信するパルス信号から単位時間当たりの車輪回転数を算出することで車両１の速度情報を算出している。
【００３３】
インターフェイス（Ｉ／Ｆ）１１は、ドライブレコーダ２に設けられたメモリカード６の差込口、いわゆるスロット部をも構成する。Ｉ／Ｆ１１は、ドライブレコーダ２から送信される映像情報及び運行情報を含む記録情報５０６を、差し込まれたメモリカード６へ転送し、ドライブレコーダ２に予め記憶されている、諸情報５０７をＣＰＵ２４へ転送する。
【００３４】
ビデオスイッチ（以下「ビデオＳＷ」）１２は、複数のカメラが設けられる場合に撮影するカメラを切り換えるためのスイッチである。本実施の形態では、第１カメラ３及び第２カメラ４が接続され、ＣＰＵ２４からの選択信号５０８により一方のカメラが選択されるよう構成されている。選択されたカメラからの映像情報を選択映像情報５０９として画像処理回路１３へ出力する。なお、ビデオＳＷ１２に計時機能を持たせ、一定の時間間隔で切り換えを行うように構成してもよい。
【００３５】
画像処理回路１３は、第１カメラ３及び第２カメラ４からビデオＳＷ１２を介して入力される選択映像情報５０９をデジタル信号に変換し、画像データ５１０を作成して出力する。画像処理回路１３は、ＪＰＥＧ−ＩＣ（Joint Photographic coding Experts Group−Integrated Circuit）から構成され、ＪＰＥＧ形式のデータを作成する。この場合、ＪＰＥＧ−ＩＣはアドレスを指定してデータを出力する機能を有さないため、毎秒３０ファイルを第１ＲＡＭ（Random Access Memory）１４へ書込み、１ファイル毎に上書き処理を行う。
【００３６】
第１ＲＡＭ１４は、画像処理回路１３によって変換された画像データ５１０を一時的に記憶する。なお、第１ＲＡＭ１４はＣＰＵ２４内のＤＭＡ（Direct Memory Access）回路と接続されており、入力された映像のうち３枚に１枚、即ち、毎秒１０ファイルがＤＭＡの機能により第２ＲＡＭ１５へ転送されて循環的に記憶される。
【００３７】
第２ＲＡＭ（半導体記憶部）１５は、画像処理回路１３により画像データに変換された映像情報、及び運行情報を循環的に記憶する。
【００３８】
なお、第１ＲＡＭ１４及び第２ＲＡＭ１５には、例えばＳＤＲＡＭ（Synchronous Dynamic Random Access Memory）が用いられる。ＳＤＲＡＭはＣＰＵのクロックに同期して動作するよう設計されているため、入出力の待ち時間が短く、従来のＤＲＡＭ（Dynamic Random Access Memory）に比較してアクセスを高速に行うことができ、大容量の映像データを高速に処理する制御に適しているためである。
【００３９】
不揮発性ＲＯＭ１６は、ドライブレコーダ２を構成するハードウェア資源を統括的に制御するための制御プログラム１７等を記憶する。不揮発性ＲＯＭ１６には、マスクＲＯＭを用いてもよいが、プログラム可能な不揮発性半導体メモリであるフラッシュメモリ、ＥＥＰＲＯＭ（Erasable Programmable Read Only Memory）、強誘電体メモリ等を用いればプログラムの書き込みや消去が可能となる。
【００４０】
制御プログラム１７は、不揮発性ＲＯＭ１６内に記憶されドライブレコーダ２の起動時にＣＰＵ２４に読み出され、各部の制御やデータ演算処理のプログラムとして機能する。
【００４１】
アクセサリスイッチ（ＡＣＣスイッチ）１９は、車両１に備えられたエンジン始動用のキーシリンダと電気的に一体に構成されている。ユーザのキー操作によりスイッチがオンとされるとアクセサリオン信号５１１をドライブレコーダ２のＣＰＵ２４及び電源制御回路２２へ送信する。ドライブレコーダ２はＡＣＣスイッチ１９のアクセサリオン信号５１１を受信することにより、電源制御回路２２から電源が供給され制御を開始する。なお、ＡＣＣスイッチ１９の出力信号に代わりに、イグニッションキー出力信号（ＩＧオン信号）を利用することも可能である。
【００４２】
電源スイッチ（電源ＳＷ）２０は、ユーザによりスイッチ操作がなされると、電源オン信号をドライブレコーダ２のＣＰＵ２４及び電源制御回路２２へ送信する。ＡＣＣスイッチ１７をオンさせずにドライブレコーダ２を動作させたい場合に用いることができる。
【００４３】
バッテリ２１は、車両１内に備えられ、ドライブレコーダ２の本体に電源を供給する。また、バッテリは、電源制御回路２２へ電源を供給する。なお、バッテリ２１は車両に装備可能で１２Ｖの起電力を発生できるものであればよい。
【００４４】
電源制御回路２２は、バッテリ２１からの電源をＣＰＵ２４及びドライブレコーダ２の各部へ供給する。電源制御回路２２の詳細は後述する。
【００４５】
ＣＰＵ（Central Processing Unit）２４は、ドライブレコーダ２の制御装置として動作し、マイクロコンピュータ等により構成される。ＣＰＵ２４は、制御プログラム１７に基づき、ドライブレコーダ２の各部の制御やデータ演算処理等を実行する。
【００４６】
ＬＥＤ２５は、ＣＰＵ２４から電源が供給されることによるドライブレコーダ２の起動中は点灯し、ユーザへ起動中であることを報知する。また、ドライブレコーダ２に異常が生じた場合等には、ＣＰＵ２４によって所定の点滅を行い、異常の発生をユーザへ報知するよう構成されている。
【００４７】
ブザー２６は、ドライブレコーダ２に異常が生じた場合等には、ＣＰＵ２４によって所定の警告音を発生し、異常の発生をユーザへ報知するよう構成されている。
【００４８】
開閉センサ２７は、メモリカード６の抜き差しに伴う開閉ノブ３１の移動に応じて、開信号及び閉信号を出力するように構成されている。
【００４９】
ＲＴＣ（Real Time Clock）２８は、現在時刻に対応した信号を発生し、ＣＰＵ２４へ送信する。
【００５０】
表示部３０は、液晶ディスプレイ等から構成され、後述する所定の状況で、メモリカード６に記録された映像情報を再生する。図２では、車両に搭載されたナビゲーション装置のディスプレイを表示部３０として用いる場合を示したが、別体のディスプレイを表示部３０として利用するようにしても良い。表示部３０の利用によって、事故が発生した場合にその場で事故原因を検証することが可能となる。いずれにしても、ドライブレコーダ２は、映像情報を出力するための出力ポートを有していることが好ましい。
【００５１】
なお、ドライブレコーダ２は映像記録専用の装置として第１カメラ３、第２カメラ４、ＧＰＳ受信機９、及び／又は表示部３０等と同一の筐体内に収容して一体的に構成してもよい。また、ドライブレコーダ２は、車載用ナビゲーション装置の一機能として構成することもできる。
【００５２】
図６は、電源制御回路２２の電気的構成を示すブロック図である。
【００５３】
電源制御回路２２は、第１電源回路４０、第２電源回路４１、第３電源回路４２、第１検出部４３、第２検出部４４、第３検出部４５、及びバックアップバッテリ４６等から構成されている。
【００５４】
第１電源回路４０は、ＡＣＣスイッチ１９又は電源スイッチ２０がオンすることにより動作を開始し、１２．０Ｖ定格のバッテリ２１から電力の供給を受け、６．０Ｖの出力を行う定電圧電源として機能する。第１電源回路４０からの出力は、第１カメラ３及び第２カメラ４等へ供給されている。
【００５５】
第２電源回路４１は、６．０Ｖ定格の第１電源回路４０から電力の供給を受け、３．３Ｖの出力を行う定電圧電源として機能する。第２電源回路４１からの出力は、画像処理回路１３を構成するＪＰＥＧ回路、ＧＰＳ受信機９、ＣＰＵ２４等へ供給されている。
【００５６】
第３電源回路４２は、３．３Ｖ定格の第２電源回路４１から電力の供給を受け、１．８Ｖの出力を行う定電圧電源として機能する。第３電源回路４１からの出力は、ＣＰＵ２４等へ供給されている。
【００５７】
第１検出部４３は、バッテリ２１の出力電圧を検出し、バッテリ２１からの出力電圧が８．０Ｖ以下に低下した場合に、第１減電圧信号Ｓ１をＣＰＵ２４へ出力する。また、第２検出部４４は、第１電源回路４０の出力電圧を検出し、第１電源回路４０からの出力電圧が３．７Ｖ以下に低下した場合に、第２減電圧信号Ｓ２をＣＰＵ２４へ出力する。さらに、第３検出部４５は、第２電源回路４１の出力電圧を検出し、第２電源回路４１の出力電圧が３．０Ｖ以下に低下した場合に、リセット信号Ｓ３を、画像処理回路１３を構成するＪＰＥＧ回路、ＧＰＳ受信機９、ＣＰＵ２４へ出力し、低電圧による誤動作防止のために各要素のリセットを行う。
【００５８】
バックアップバッテリ４６は、２つのコンデンサから構成され、バッテリ２１の出力電圧が、低下した場合でも、所定時間、少なくとも画像処理回路１３を構成するＪＰＥＧ回路、ＧＰＳ受信機９及びＣＰＵ２４が駆動できるように電力を供給できるように構成されている。衝突事故等により車両に衝撃が加わると、バッテリ２１の破損やバッテリ２１と電源制御回路２２と接続線の断線が発生する恐れがあるので、バックアップバッテリ４６は、蓄電された電源をＣＰＵ２４等へ供給することで、そのような場合でも処理中の映像情報等を極力保存できるようにしている。減電圧処理については後述する。
【００５９】
図７は、再生装置４００の電気的構成を示すブロック図である。
【００６０】
インターフェイス（Ｉ／Ｆ）４１１は、再生装置４００に設けられたメモリカード６の差込口、いわゆるスロット部を構成する。Ｉ／Ｆ４１１は、メモリカード６に記録された、映像情報及び運行情報等を再生装置４００側に転送する。
【００６１】
ＲＡＭ４１４は、ＣＰＵ４２４がメモリカード６から転送された映像情報の画像処理及び運行情報の情報処理等を行う際に一時的にデータを記憶するために利用される。ＲＡＭ４１４には、例えばＳＤＲＡＭが用いられる。
【００６２】
不揮発性ＲＯＭ４１６は、再生装置４００を構成するハードウェア資源を統括的に制御するための制御プログラム４１７等を記憶する。不揮発性ＲＯＭ１６には、例えば、ＥＥＰＲＯＭ、強誘電体メモリ等が用いられる。
【００６３】
制御プログラム４１７は、不揮発性ＲＯＭ４１６内に記憶され、再生装置４００の起動時にＣＰＵ４２４に読み出され、各部の制御やデータ演算処理のプログラムとして機能する。
【００６４】
ＣＰＵ４２４は、再生装置４００の制御装置として動作し、マイクロコンピュータ等により構成される。ＣＰＵ４２４は、制御プログラム４１７に基づき、再生装置４００の各部の制御やデータ演算処理等を実行する。
【００６５】
操作部４３０は、キーボード、マウス等から構成され、ユーザが再生装置４００を操作する場合に、ＣＰＵ４２４への操作入力を行うための手段として利用する。
【００６６】
表示部４４０は、液晶表示装置等から構成され、メモリカード６に記録された映像情報及び運行情報等を適宜表示するために利用される。
【００６７】
地図情報記録部４５０は、ハードディスク、ＤＶＤ等の記録媒体によって構成され、道路情報及び制限速度情報等を含んだ地図情報が記録されている。
【００６８】
カード情報記録部４６０は、ハードディスク等の記録媒体によって構成され、メモリカード６に記録された映像情報及び運行情報等を、記録するために利用される。
【００６９】
図８は、ドライブレコーダ２の全体処理フローを示す図である。
【００７０】
図８に示す処理フローは、主にドライブレコーダ２のＣＰＵ２４が、制御プログラム１７に従って、ドライブレコーダ２の各構成要素と共同して実行する。
【００７１】
ＡＣＣスイッチ１９のＯＮ及び電源スイッチ２０のＯＮによって、電源が投入されドライブレコーダ２の動作開始が指示されると、ＣＰＵ２４は、起動処理を行う（Ｓ１）。起動処理では、ブートプログラムによる初期化処理及びドライブレコーダ２に関連する各種要素に関する自己診断処理が含まれる。自己診断処理については後述する。
【００７２】
ドライブレコーダ２の起動処理が完了すると、ＣＰＵ２４は、映像情報を循環的に第２ＲＡＭ１５に記憶する（Ｓ２）。具体的には、ＣＰＵ２４は、１秒間に１０枚の割合で、第１カメラ３及び第２カメラ４によって撮像された静止画データ（６４０×４８０ピクセル）を交互に取得し（即ち、カメラ３からの静止画を０．２秒毎、カメラ４からの静止画を０．２秒毎というように交互に取得し）、第１ＲＡＭ１４を介して第２ＲＡＭ１５に循環的に記録する。また、ＣＰＵ２４は、第１カメラ３及び第２カメラ４による静止画データを取得する毎に、運行情報を取得し静止画データに対応づけて第２ＲＡＭ１５に循環的に記録する。なお、上述したＣＰＵ２４が取得する静止画データの時間間隔や枚数は一例であって、これに限定されるものではない。
【００７３】
次に、ＣＰＵ２４は、後述する記録条件が成立したか否かの判断を行う（Ｓ３）。記録条件が成立する場合とは、以下の３つ場合を言う。但し、その内の１つ又は２つであってもよく、また３つ以外の他の条件を定めても良い。
【００７４】
１．Ｇ検出：加速度センサ５が、０．４０Ｇ以上の重力加速度を検出した場合を言う。このような場合を記録条件の成立としたのは、車両１にこのような重力加速度がかかった場合には、事故の発生又は事故の急迫と認識できるからである。なお、上記の設定値（０．４０Ｇ）は一例であって、他の位を採用することも可能である。詳細については後述する。
【００７５】
２．速度トリガ：車速センサ１０から検出した車両１の所定の期間内の速度差が、閾値以上となった場合を言う。具体的には、６０ｋｍ／ｈ以上で走行中に、１秒間の減速が、１４ｋｍ／ｈ以上となった場合に、記録条件が成立したと判断する。このような場合を記録条件の成立としたのは、車両１がこのような速度変化を起こした場合には、事故の発生または事故の急迫と認識できるからである。なお、上記の設定値（６０ｋｍ／ｈ以上で走行中に、１秒間の減速が、１４ｋｍ／ｈ以上）は一例であって、他の値を採用することも可能である。
【００７６】
３．撮影ＳＷ：撮影ＳＷ８が操作された場合をいう。
【００７７】
次に、ＣＰＵ２４は、記録条件が成立した場合には、記録条件成立前１２秒間及び成立後８秒間の合計２０秒間の映像情報（１回の記録条件成立毎に２００枚分の静止画）及び運行情報を第２ＲＡＭ１５からメモリカード６に転送して記録する（Ｓ４）。また、記録条件が成立した場合には、成立した記録条件を示すイベントデータ（上記の３つの内の何れかを示すデータ）を合わせてメモリカード６に記録する。メモリカード６には、少なくとも１５イベント分の映像情報等を記録することができる容量を有している。
【００７８】
なお、記録条件が成立した場合には、記録条件成立前１２秒及び成立後８秒間の合計２０秒間における、マイクロフォン７から取得した音声情報を、映像情報等と供に、更にメモリカード６に記録するように構成しても良い。メモリカード６に記録された映像情報及び運行情報等は、再生装置４００にて表示することができるので、ドライブレコーダ２のユーザは、車両１の走行状態及び事故状況を検証することが可能となる。なお、上述したＣＰＵ２４が、記録条件成立時に、メモリカード６に記録する期間（記録条件成立前１２秒及び記録条件成立後８秒）は一例であって、これに限定されるものではない。
【００７９】
運行情報とは、以下の情報を言う。
【００８０】
１．加速度センサ５の各軸で検出した重力加速度情報（Ｇ１、Ｇ２）。
【００８１】
２．ＧＰＳ受信機９から検出した車両１の位置情報及び時刻情報。
【００８２】
３．車速センサ１０から検出した速度情報。
【００８３】
４．ＡＣＣスイッチ１９のＯＮ／ＯＦＦ情報。
【００８４】
なお、運行情報の内容は、必ずしも上記の情報に限定されるものではなく、例えばウィンカー等の灯火類の点灯状態やハンドル操舵角のような車両１の運行や走行に関する情報を含めるようにしても良い。
【００８５】
次に、ＣＰＵ２４は、ＡＣＣスイッチ１９のＯＦＦ信号又は電源スイッチ２０のＯＦＦ信号による終了信号を受信したか否かの判断を行い（Ｓ５）、終了信号を受信した場合には、終了処理を行って（Ｓ６）、一連の処理を終了する。終了信号を受信していない場合には、Ｓ２〜Ｓ４を繰り返し実行する。
【００８６】
ドライブレコーダ２の自己診断処理について説明する。
【００８７】
ドライブレコーダ２の自己診断処理は、図８に示す処理フローにおける起動処理（Ｓ１）において行われ、対象となるのは、加速度センサ５、画像処理回路１３を構成するＪＰＥＧ−ＩＣ、ＲＴＣ２８、及び第１カメラ３及び第２カメラ４の接続状態である。ドライブレコーダ２の自己診断を行うのは、ドライブレコーダ２で記録されたデータが、事故等を検証する上での証拠資料となる可能性があるからである。そのために、ドライブレコーダ２に問題があって適切にデータを記録できない場合や、記録されたデータに問題が生じていないことを事前に確認するためである。
【００８８】
図９は、加速度センサ５の自己診断処理フローを示す図である。
【００８９】
最初に、ＣＰＵ２４は、加速度センサ５の３軸（ｘ軸、ｙ軸及びｚ軸）の内、予め設定された車両１の前後方向に平行な第１軸の出力Ｇ１及び、予め設定された車両１の左右方向に平行な第２軸の出力Ｇ２の出力をそれぞれ取得する（Ｓ１１）。
【００９０】
図１０は、ドライブレコーダ２と加速度センサ５との位置関係を示す図である。図１０（ａ）はドライブレコーダ２を立てて車両１に配置した場合を示し（図２参照）、図１０（ｂ）をドライブレコーダ２の横にして車両１配置した場合を示し、図１０（ｃ）は図１０（ｂ）の状態から更に角度θだけドライブレコーダ２を傾けた状態を示した図である。また、図１０（ａ）〜図１０（ｃ）では、矢印Ｂの方向が車両の進行方向を示している。
【００９１】
加速度センサ５は、３つの軸を有しているが、図１０（ａ）のようにドライブレコーダ２を配置した場合には、ｘ軸の出力を第１軸の出力Ｇ１と設定し、ｙ軸の出力を第２軸のＧ２と設定し、ｚ軸の出力は利用しない。また、図１０（ｂ）のようにドライブレコーダ２を配置した場合には、ｚ軸の出力を第１軸の出力Ｇ１と設定し、ｘ軸の出力を第２軸の出力Ｇ２と設定し、ｙ軸の出力は利用しない。このようにドライブレコーダ２は、３軸の出力を有する加速度センサ５を利用しているため、ドライブレコーダ２の配置方向を自由に選択することができる。しかしながら、その為には、どの出力を第１軸及び第２軸の出力とするかを予め設定する必要がある。そのため、ドライブレコーダ２を車両に設置したときに、Ｘ、Ｙ、Ｚ軸の内、どの２軸を使用するかを設定しておく。
【００９２】
次に、ＣＰＵ２４は、Ｓ１１で取得した第１軸の出力Ｇ１及び第２軸の出力Ｇ２の何れか一方の出力が、５秒以上１Ｇ以上の値を出力しているか否かの判断を行う（Ｓ１２）。通常の状態であれば、共に０Ｇ出力を行うはずであるので、５秒以上１Ｇ以上の加速度を検出しているということは加速度センサの素子に何らかの異常が発生していると判断することができる。
【００９３】
次に、ＣＰＵ２４は、ステップ１２において、５秒以上１Ｇ以上の値を出力していない場合には、加速度センサ５のテストモード端子（ＳＴ端子）を切替えて（Ｓ１３）、電気的に振動が発生したような状況を発生させ、その出力を検出して、出力に変化が生じているか否かの判断を行う（Ｓ１４）。ＳＴ端子を切替えても加速度センサ５の出力が変化しない場合には、正常に動作しない可能性が高いと判断することができる。
【００９４】
次に、ＣＰＵ２４は、Ｓ１４で出力に変化が生じている場合には、Ｓ１１で取得した第１軸の出力Ｇ１及び第２軸の出力Ｇ２の何れか一方の出力が、５秒以上０．７Ｇ以上の値を出力しているか否かの判断を行う（Ｓ１５）。このような場合には、加速度センサ５自体は正常に動作する可能性があるが、第１軸及び第２軸として設定されている軸が、初期設定と合致していないような状態である可能性、即ち、図１０（ａ）のように配置されていたはずのドライブレコーダ２が、途中から図１０（ｂ）のように移動させられた上に、出力軸の設定が行われていない状態である可能性が高いと判断することができる。例えば図１０（ａ）から図１０（ｂ）へ移動させられた場合、第２軸として設定したＹ軸が垂直方向に変更されたことにより、重力で０．７Ｇ以上の出力が生じることになる。
【００９５】
次に、ＣＰＵ２４は、Ｓ１５において、５秒以上０．７Ｇ以上の値を出力していない場合には、正常と判断し第１軸の出力Ｇ１及び第２軸の出力Ｇ２のオフセット設定、即ち、Ｓ１１で取得した値を０とするように処理を行って（Ｓ１６）、一連の処理を終了する。オフセットが生じる原因としては、ドライブレコーダ２が車両１に対して完全に平行に取り付けされていない場合等が考えられる。例えば、図１０（ｂ）のように取り付けるはずが、図１０（ｃ）に示すように、傾けて取り付けられた場合等が考えられる。本ドライブレコーダ２では、図１０（ｃ）に示す傾き角度θが３０度程度までオフセット設定を行うことで適切に動作可能なように構成されている。
【００９６】
Ｓ１２においてＳ１１で取得した第１軸の出力Ｇ１及び第２軸の出力Ｇ２の何れか一方の出力が５秒以上１Ｇ以上の値を出力している場合、Ｓ１４において出力に変化が生じない場合、ＣＰＵ２４は加速度センサ５に異常があると判断して、ＬＥＤ２５の点灯及びブザー２６から警告音を発生してユーザに異常を通知すると共に、ＬＥＤ２５及びブザー２６以外の動作を停止し、ＡＣＣスイッチ１９がＯＦＦ又は電源スイッチ２０がＯＦＦするまで、上記の動作を継続する（Ｓ１８）。
【００９７】
Ｓ１５においてＳ１１で取得した第１軸の出力Ｇ１及び第２軸の出力Ｇ２の何れか一方の出力が５秒以上０．７Ｇ以上の値を出力している場合、ＣＰＵ２４は、ドライブレコーダ２の取付方向変更後の設定未設定であると判断して、ＬＥＤ２５の点灯及びブザー２６から警告音を発生してユーザに異常を通知する動作を、ＡＣＣスイッチ１９がＯＦＦ又は電源スイッチ２０がＯＦＦするまで継続する（Ｓ１７）。しかしながら、加速度センサ５自体は正常に動作するので、ドライブレコーダ２の動作は継続させる。
【００９８】
次に、画像処理回路１３を構成するＪＰＥＧ−ＩＣ、ＲＴＣ２８、及び第１カメラ３及び第２カメラ４の接続状態の自己診断処理について説明する。
【００９９】
画像処理回路１３を構成するＪＰＥＧ−ＩＣについては、１６．７ｍｓ毎に、ＣＰＵ２４に入力される割り込み信号を常時監視し、５００ｍｓ間に１度も割り込みが発生しない場合に、ＣＰＵ２４は、画像処理回路１３を構成するＪＰＥＧ−ＩＣに異常が発生したと判断する。異常が発生したと判断した場合には、ＣＰＵ２４は、ＬＥＤ２５の点灯及びブザー２６から警告音を発生してユーザに異常を通知すると共に、ＬＥＤ２５及びブザー２６以外の動作を停止し、ＡＣＣスイッチ１９がＯＦＦ又は電源スイッチ２０がＯＦＦするまで、上記の動作を継続する。なお、１６．７ｍｓの割り込み間隔や５００ｍｓの監視期間は一例であって、これらに限定されるものではない。
【０１００】
ＲＴＣ２８については、ＣＰＵ２４は、ＲＴＣ２８から受信する年、月、日時、秒等を示すステータス・ビットを監視し、規定の範囲外のデータを受信した場合には、異常が発生したと判断する。異常が発生したと判断した場合には、ＣＰＵ２４は、ＬＥＤ２５の点灯及びブザー２６から警告音を発生してユーザに異常を通知すると共に、ＣＰＵ２４の内部ＲＴＣを所定の値（例えば、２００１年１月１日、０時０分０秒）にセットする。なお、他のドライブレコーダ２の動作は継続させる。
【０１０１】
第１カメラ３及び第２カメラ４の接続状態については、ＣＰＵ２４は、第１ＲＡＭ１４から第２ＲＡＭ１５へ転送する１枚の画像データのサイズが１０秒以上連続して６５９２バイトであった場合に、異常が発生した（ドライブレコーダ２と、第１カメラ３及び第２カメラ４との接続が切断された）と判断する。６５９２バイトは、本ドライブレコーダに利用するＪＰＥＧ−ＩＣが作成する画像データで完全に黒画像である時のサイズに相当する。この場合、ＪＰＥＧ−ＩＣはカメラ３、４からの映像入力がない場合に黒画像を出力するように予め設定されている。従って、所定期間（例えば１０秒）連続して完全に黒画像を出力している場合には、ドライブレコーダ２と、第１カメラ３及び第２カメラ４との接続が切断されたと判断することができる。ＣＰＵ２４は、ＬＥＤ２５の点灯及びブザー２６から警告音を発生してユーザに異常を通知すると共に、ＬＥＤ２５及びブザー２６以外の動作を停止し、ＡＣＣスイッチ１９がＯＦＦ又は電源スイッチ２０がＯＦＦするまで、上記の動作を継続する。なお、検出する６５９２バイトの画像データのサイズや、１０秒の監視期間は一例であって、これに限定されるものではない。また、ＪＰＥＧ−ＩＣが映像入力のない場合に、黒以外の色（例えば青）を出力するように構成されている場合、その青色の画像データサイズで異常を検出すれば良い。
【０１０２】
前記の第１カメラ３及び第２カメラ４の接続状態の自己診断処理は、ドライブレコーダ２の起動時のみではなく、ドライブレコーダ２が動作している状態で常に判断するようにしても良い。
【０１０３】
このように、本発明に係るドライブレコーダ２では、起動時等に自己診断を行って、正常動作を確認するので、記録した映像情報及び運行情報の信憑性を確保することが可能となった。
【０１０４】
図１１は、Ｇ値検出処理フローを示す図である。
【０１０５】
ＣＰＵ２４は、図１１に示す処理フローにしたがって、加速度センサ５の出力に基づき、Ｇ値を決定する。また、ＣＰＵ２４は、後述するように、図１１に示す処理フローに従って、決定されたＧ値に基づいて、前述したＧ検出に関する記録条件が成立したか否かの判断を行うこととなる。
【０１０６】
最初に、ＣＰＵ２４は、予め設定された加速度センサ５の第１軸の出力Ｇ１及び第２軸の出力Ｇ２を取得する（Ｓ２０、Ｓ２１）。
【０１０７】
次に、ＣＰＵ２４は、車速センサ１０からの車速パルスに基づいて、車両１の現在速度を検出する（Ｓ２２）。
【０１０８】
次に、ＣＰＵ２４は、ＧＰＳ受信機９からの車両１の現在位置情報に基づいて、車両１が現在走行中の道路が、急カーブに相当するか否かの判断を行う（Ｓ２３）。ＣＰＵ２４は、ドライブレコーダ２と接続されたナビゲーションシステム（不図示）から、急カーブか否かの情報を取得しても良いし、ドライブレコーダ２自体に地図情報を記憶する記憶部（不図示）を有していて、地図情報と現在位置情報とを比較することによって、急カーブか否かの情報を取得しても良い。
【０１０９】
Ｓ２３において、急カーブでは無いと判断された場合には、Ｓ２０及びＳ２１で取得した第１軸の出力Ｇ１と第２軸の出力Ｇ２との絶対値の合成値（Ｇ１２＋Ｇ２２）０・５をＧ値とする（Ｓ２４）。
【０１１０】
また、Ｓ２４において急カーブであると判断された場合には、Ｓ２２において取得した車速に基づいた補正値αを取得し、補正値αとＳ２０及びＳ２１で取得した第１軸の出力Ｇ１と第２軸の出力Ｇ２に基づいて、（Ｇ１２＋（｜Ｇ２｜−α）２）０・５をＧ値とする（Ｓ２６）。ここで、補正値αは、例えば、車速６０ｋｍ／ｈ未満の場合には０．１、車速６０ｋｍ／ｈ以上の場合には０．２と経験上定めることができる。
【０１１１】
急カーブにおいて、補正値αを車両１の左右方向の出力であるＧ２の絶対値からマイナスするのは、急カーブでは、左右方向の加速度が発生し易く、事故等が発生した訳では無いのに、記録条件が誤って成立してしまう可能性があるからである。なお、出力Ｇ２ではプラスを右方向への加速度、マイナスを左方向への加速度として設定している。
【０１１２】
なお、ＧＰＳ受信機９からの現在位置情報に基づいて、車両１が走行中の道路が急カーブであるか否かの判断を行わずに、Ｇ値を（Ｇ１２＋（｜Ｇ２｜−α）２）０・５に基づいて決定するようにしても良い。さらに、車速の如何によらず、補正値αを定めるようにしても良い。更に、急カーブの判定は、ステアリング角センサ等の他の手段によって判定しても良い。
【０１１３】
上述したＧ値の検出処理フローにしたがって、Ｇ値を決定することによって、カーブにおいて不必要に多くの記録条件が成立し、不必要な映像情報等がメモリカード６に記録されるのを防止することが可能となる。
【０１１４】
図１２は、加速度センサ５の出力の確認処理を行うためのフローを示す図である。
【０１１５】
前述した例では、加速度センサ５の第１軸及び第２軸は予め設定されていると説明したが、ＣＰＵ２４が、予め設定されている２つの軸を独自に再設定するように構成しても良い。図１２は、そのための処理フローを示している。
【０１１６】
最初に、ＣＰＵ２４は、車両１が停止したか否かの判別を行う（Ｓ３０）。停止しているか否かは、例えば、図１１の処理フローによって求めされたＧ値が、３秒以上０．１Ｇ以下になった場合とすることができる。あるいは、車速センサにより連速が所定速度（例えば２ｋｍ／ｈ）以下のときに車両が停止したと判定しても良い。
【０１１７】
次に、ＣＰＵ２４は、停止直後の加速度センサ５のからの出力の内、第１軸として設定されている出力Ｇ１と第２軸として設定されている出力Ｇ２を取得し（Ｓ３１）、車両１の停止後に車両が再度動き出した時の出力が０．２Ｇ以上になった軸を、車両１の進行方向（又は前後方向）と平行にある軸と認定する（Ｓ３２）。
【０１１８】
次に、ＣＰＵ２４は、今回の判定において、第２ＲＡＭ１５に車両１の進行方向と平行な軸として認定した軸を履歴情報として記憶する（Ｓ３３）。
【０１１９】
次に、ＣＰＵ２４は、Ｓ３２で認定された軸以外の軸の出力を第２軸、即ち、車両１の左右方向の出力と認定して（Ｓ３４）、一連の処理を終了する。
【０１２０】
図１２に示す処理は、車両１が停止したと判断される毎に繰り返して実行される。所定回数だけ図１２に示す処理フローが実行されると、履歴情報が収集されるので、軸の認定に際しては、履歴情報に基づいて行うようにしても良い。ＣＰＵ２４は、図１２に示す、軸方向の再設定によって、更に車両１の左右方向の軸出力を明確に特定した後に、図１１に示すように、カーブ走行時の誤検出を防止するための、加速度センサ５の第２軸（車両の左右方向）の出力Ｇ２の絶対値から所定の補正値αをマイナスするように補正することができる。このような複合処理によって、更にカーブ走行時の誤検出を防止することが可能となる。尚、軸の設定は停止時ではなく発進時に行ってもよい。その場合、Ｓ３０は車速に基づき例えば５ｋｍ／ｈ以上になったことを検出して発進したと判断すればよい。またＳ３２では発進と判断された直後に０．２Ｇ以上になった軸を車両１の進行方向と平行な軸として決定すればよい。さらに、履歴情報は、ドライブレコーダ２への電源投入時にリセットされ、電源投入毎に繰り返し情報を集めるようにしても良い。
【０１２１】
図１３は、記録条件成立の１つの基準であるＧ検出の処理フローを示す図である。
【０１２２】
最初にＣＰＵ２４が、図１１の処理フローによって検出されたＧ値が、一旦第１の閾値（０．１Ｇ）以下の値を取った後に、第２の閾値（０．４Ｇ）以上の値を取ったか否かの判断を行い（Ｓ４０）、そのような場合にＧ検出の記録条件が成立したと判断する（Ｓ４１）。第１の閾値（０．１Ｇ）及び第２の閾値（０．４Ｇ）は、Ｇ検出のために予め設定されている値である。また、第１の閾値以下に下がった後に、第２の閾値以上の値を取った場合のみを記録条件の成立として判断するのは、連続して第２の閾値以上の値を検出する場合には、加速度センサ５の異常や、車両１が横転してしまった状態など、新たなに記録条件の成立によって映像情報等を記録する必要性に乏しい場合が多いと考えられるからである。
【０１２３】
次に、ＣＰＵ２４は、後述するように通常の映像情報の記録（記録条件の成立前１２秒及び成立後８秒）が延長されているか否かの判断を行う（Ｓ４２）。
【０１２４】
Ｓ４２において、延長がなされていない場合には、前回記録条件が成立してからの経過時間を検出し、経過時間に合わせて次の処理を進める（Ｓ４３）。
【０１２５】
Ｓ４３において、前回記録条件が成立してからの時間が、０秒より大きく、Ｔ１秒（例えば４秒）未満の場合には、記録条件の成立による新たな記録も、映像情報の記録時間の延長もしない（Ｓ４４）。即ち、検出した記録条件の成立を無視する。急ブレーキ後の衝突といった一連のイベントであると考えられ、またあまりに短時間で連続して記録条件が成立した場合に、それぞれについて映像情報等の記録を行ったのでは、重複して映像記録を記録することとなり望ましくないからである。
【０１２６】
Ｓ４３において、前回記録条件が成立してからの時間が、Ｔ１秒（例えば４秒）以上、Ｔ２秒（例えば８秒）未満の場合には、記録条件を所定時間（例えば、４秒間）延長する（Ｓ４５）。映像情報を記録中に再度記録条件が成立した場合であって、前回の記録条件の成立後８秒間の後半に、更に記録条件が成立した場合には、その後記録される映像情報が少なくなることから、映像情報等の記録を延長する。これによって、Ｓ４５の場合の１回の記録は、記録条件の成立の前１２秒と後１２秒の合計２４秒となる。
【０１２７】
Ｓ４３において、前回記録条件が成立してからの時間が、Ｔ２秒（例えば８秒）以上の場合には、新たな記録条件の成立として、その記録条件の成立の前１２秒及び後８秒の間の映像情報等の記録を行う（Ｓ４６）。なお、例外的に、ドライブレコーダ２の起動後初めて記録条件が成立した場合も、Ｓ４６において、その記録条件の成立の前１２秒及び後８秒の間の映像情報等の記録を行うものとする。
【０１２８】
Ｓ４２において、既に延長中（Ｓ４５）であると判断された場合、更に前回の記録条件の成立からの経過時間が考慮される（Ｓ４７）。
【０１２９】
Ｓ４７において、前回の記録条件の成立からの時間が、Ｔ２秒（例えば８秒）以上Ｔ３秒（例えば１２秒）未満の場合は、再度延長を行わない（Ｓ４８）。即ち、検出した記録条件の成立を無視する。連続して延長を続けると、１つのイベントに関する映像情報等の記録を長時間に渡って記録し過ぎることになるからである。
【０１３０】
Ｓ４７において、前回の記録条件の成立からの時間が、Ｔ３秒（例えば１２秒）以上の場合には、新たな記録条件の成立として、その記録条件の成立の前１２秒及び後８秒の間の映像情報等の記録を行う（Ｓ４９）。
【０１３１】
図１３の処理フローに従って、映像情報等を記録する具体例を図１４〜図１７を用いて以下に説明する。
【０１３２】
図１４はＧ検出による映像情報の記録例（１）を示す図である。図１４（ａ）は図１１の処理フローによって求められたＧ値５０のグラフが示されており、図１４（ｂ）は第２ＲＡＭ１５に循環的に記録されている映像情報が示されており、図１４（ｃ）はメモリカード６に記録される映像情報が示されている。
【０１３３】
ｔ０において、初めて一旦第１の閾値以下になった後に第２の閾値以上のＧ値が検出され、その後、再度第１の閾値以下に下がった後に、ｔ１において、２回目の第２の閾値以上のＧ値が検出されたものとする。また、ｔ０からｔ１は、Ｔ２秒以上である。
【０１３４】
図１３のＳ４６に従い、ｔ０における記録条件の成立によって、ｔ０の前１２秒及び後８秒間の映像情報５２が、メモリカード６に１つのイベント５３として記録される。また、ｔ１は前回のｔ０からＴ２秒以上後であり、ｔ１の発生時において延長はなされていないので、図１３のＳ４６に従い、ｔ１における記録条件の成立によって、ｔ１の前１２秒及び後８秒間の映像情報５４が、メモリカード６に別のイベント５５として記録される。イベント５３とイベント５５には、図１４（ｂ）に示すように、重複する映像情報が含まれることとなる。
【０１３５】
図１５はＧ検出による映像情報の記録例（２）を示す図である。図１５（ａ）は図１１の処理フローによって求められたＧ値６０のグラフが示されており、図１５（ｂ）は第２ＲＡＭ１５に循環的に記録されている映像情報が示されており、図１５（ｃ）はメモリカード６に記録される映像情報が示されている。
【０１３６】
ｔ０において、初めて一旦第１の閾値以下になった後に第２の閾値以上のＧ値が検出され、その後、再度第１の閾値以下に下がった後に、ｔ１において、２回目の第２の閾値以上のＧ値が検出され、その後、再度第１の閾値以下に下がった後に、ｔ２において、３回目の第２の閾値以上のＧ値が検出されたものとする。また、ｔ０からｔ１は、Ｔ２秒未満であり、ｔ０からｔ２はＴ３秒以上である。
【０１３７】
図１３のＳ４６に従い、ｔ０における記録条件の成立によって、ｔ０の前１２秒及び後８秒間の映像情報６２が、メモリカード６に１つのイベント６４として記録される。また、ｔ１は前回のｔ０からＴ２秒未満であり、ｔ１の発生時において延長はなされていないので、図１３のＳ４５に従い、ｔ１の記録条件の成立によって、４秒分の映像情報６３が、メモリカード６に延長分６５として記録される。さらに、ｔ２は、延長中であって、ｔ０からＴ３秒以上であるので、図１３のＳ４９に従い、ｔ２における記録条件の成立によって、ｔ２の前１２秒及び後８秒間の映像情報等６６が、メモリカード６に別のイベント６７として記録される。イベント６４とイベント６７には、図１５（ｂ）に示すように、重複する映像情報が含まれることとなる。
【０１３８】
図１６はＧ検出による映像情報の記録例（３）を示す図である。図１６（ａ）は図１１の処理フローによって求められたＧ値７０のグラフが示されており、図１６（ｂ）は第２ＲＡＭ１５に循環的に記録されている映像情報が示されており、図１６（ｃ）はメモリカード６に記録される映像情報が示されている。
【０１３９】
ｔ０において、初めて一旦第１の閾値以下になった後に第２の閾値以上のＧ値が検出され、その後、それぞれ再度第１の閾値以下に下がった後に、ｔ１、ｔ２、ｔ３及びｔ４において、第２の閾値以上のＧ値が検出されたものとする。また、ｔ０からｔ１は、Ｔ１秒未満であり、ｔ０からｔ２はＴ２秒未満であり、ｔ０からｔ３はＴ３秒未満であり、ｔ０からｔ４はＴ３秒以上である。
【０１４０】
図１３のＳ４６に従い、ｔ０における記録条件の成立によって、ｔ０の前１２秒及び後８秒間の映像情報７２が、メモリカード６に１つのイベント７４として記録される。また、ｔ１はＴ１秒未満であるので、図１３のＳ４４に従い、無視される。さらに、ｔ２はｔ０からＴ２秒未満であり、ｔ２の発生時において延長はなされていないので、図１３のＳ４５に従い、ｔ２の記録条件の成立によって、４秒分の映像情報７３が、メモリカード６に延長分７５として記録される。さらに、ｔ３は、延長中であって、ｔ０からＴ３秒未満であるので、図１３のＳ４８に従い、無視される。さらに、ｔ４は、延長中であって、ｔ０からＴ３秒以上であるので、図１３のＳ４９に従い、ｔ４における記録条件の成立によって、ｔ４の前１２秒及び後８秒間の映像情報７６が、メモリカード６に別のイベント７７として記録される。イベント７４とイベント７７には、図１６（ｂ）に示すように、重複する映像情報が含まれることとなる。
【０１４１】
図１７はＧ検出による映像情報の記録例（４）を示す図である。図１７（ａ）は図１１の処理フローによって求められたＧ値８０のグラフが示されており、図１７（ｂ）は第２ＲＡＭ１５に循環的に記録されている映像情報が示されており、図１７（ｃ）はメモリカード６に記録される映像情報が示されている。
【０１４２】
ｔ０において、初めて一旦第１の閾値以下になった後に第２の閾値以上のＧ値が検出され、その後、再度第１の閾値以下に下がった後、ｔ１において２回目の第２の閾値以上のＧ値が検出されるが、その後はＧ値が連続して高い数値を示している。
【０１４３】
図１３のＳ４６に従い、ｔ０における記録条件の成立によって、ｔ０の前１２秒及び後８秒間の映像情報等８１が、メモリカード６に１つのイベント８２として記録される。また、ｔ１はＴ１秒未満であるので、図１３のＳ４４に従い、無視される。さらに、その後は、第１の閾値以下に下がっていないので、図１３のＳ４０に従い、第２閾値以上のＧ値が検出されても、記録条件の成立とは見なされない。図１７の例は、例えば、ｔ０において急ブレーキ操作を行ったが衝突が回避できず、ｔ１において車両１が横転し、その後加速度センサ５が、横転によって高いＧ値を出力し続けているような状態に相当する。
【０１４４】
以上、図１３〜図１７に基づいて説明したように、所定の閾値以上のＧ値が検出された場合であっても、連続的に記録条件が成立した場合や、連続的に高いＧ値が検出された場合等、不必要に映像情報が記録されないように制御されていることから、容量の決まっているメモリカード６を効率良く利用することが可能となった。
【０１４５】
ドライブレコーダ２の減電圧処理について図１８〜図２０を用いて説明する。
【０１４６】
減電圧処理とは、車両１が事故等による破損等により、バッテリ２１からの出力電圧が低下した場合等に、記録中の映像情報を適切に保護するため等に行う処理である。
【０１４７】
図１８は、減電圧処理フロー（１）を示す図である。
【０１４８】
ＣＰＵ２４は、第１検出部４３からの第１減電圧信号Ｓ１がＨからＬになるか否かの監視を常時行っている（Ｓ５０）。図６において説明したように、第１検出部４３は、バッテリ２１の出力電圧が８．０Ｖ以下に低下すると第１減電圧信号Ｓ１をＨからＬに変更する。
【０１４９】
Ｓ５０において、第１減電圧信号Ｓ１がＨからＬに変化すると、ＣＰＵ２４は、ブザー２６から警告音を発生させる（Ｓ５１）。
【０１５０】
次に、ＣＰＵ２４は、現在、記録条件が成立して、映像情報等がメモリカード６へ書き込まれているかの判断を行い（Ｓ５２）、またＳ５０において第１減電圧が検出された時点が記録条件の成立から所定時間（例えば、８秒）以上経過しているか否かの判断を行う（Ｓ５３）。
【０１５１】
映像情報の書き込み中であり、さらに記録条件の成立から所定時間経過していない場合には、メモリカードへの書き込みを中断し、トリガ発生１０秒前からトリガ発生までの映像情報を記録する。その際、記録枚数を減らす。第１減電圧が検出される１０秒前から第１減電圧が検出されるまでの映像情報を、１秒間に５枚（通常は１秒間の１０枚）に減らして、メモリカード６へバックアップ専用フォルダを作成して書き込みを行う（Ｓ５４）。第１減電圧が検出されると、その後新たな映像情報を取得することが困難である可能性が高いので、それまでに取得した映像情報をバックアップ専用フォルダに記録して、できるだけそれまでの情報が失われないように制御している。なお、映像情報と供に運行情報もバックアップ専用フォルダへ記録することが好ましい。
【０１５２】
Ｓ５３で、所定時間経過している場合には、特に特別なバックアップ処理は行わない。これは、ほぼ、通常の記録時間（記録条件の成立前１２秒及び記録条件の成立後８秒）の映像情報は取得済みであるので、通常通りメモリカード６への記録が可能であると考えられるからである。
【０１５３】
その後、ＣＰＵ２４は、第１カメラ３、第２カメラ４、画像処理回路１３を構成するＪＰＥＧ−ＩＣ、ＧＰＳ受信機９への電力供給を遮断する消費電力低減処理を行って、予定するメモリカード６への映像情報６への書き込みのための電力を確保する（Ｓ５５）。なお、Ｓ５４におけるバックアップ処理を行うための電力は、バックアップバッテリ４６によって、確保されるように構成されている。
【０１５４】
次に、ＣＰＵ２４は、バックアップ処理終了後、ウオッチドックタイマを停止して、リブートを行い（Ｓ５６）、一連の処理を終了する。
【０１５５】
図１９は、減電圧処理フロー（２）を示す図である。
【０１５６】
ＣＰＵ２４は、第２検出部４４からの第２減電圧信号Ｓ２がＨからＬになるか否かの監視を常時行っている（Ｓ６０）。図６において説明したように、第２検出部４４は、第１電源回路４０の出力電圧（又はバックアップバッテリ４６の出力電圧）が３．７Ｖ以下に低下すると第２減電圧信号Ｓ２をＨからＬに変更する。
【０１５７】
Ｓ６０において、第２減電圧信号Ｓ１がＨからＬに変化すると、ＣＰＵ２４は、クローズド処理の開始時期の決定を行う（Ｓ６１）。
【０１５８】
図２０は、電圧低下状態を示す図である。図２０の曲線９０は、８．０Ｖから３．７Ｖに電圧が低下するまでＴ４秒間（第１減電圧検出から第２減電圧検出までの時間）、３．７Ｖから３．０ＶまでＴ５秒間（第２減電圧検出からリセット信号出力までの時間）かかった場合を示し、図２０の曲線は、８．０Ｖから３．７Ｖに電圧が低下するまでＴ６秒間、３．７Ｖから３．０ＶまでＴ７秒間かかった場合を示している。ＣＰＵ２４等の誤動作を防止するためのリセット信号が３．０Ｖで第３検出部４５から出力されてしまうことから、第２減電圧検出からリセット信号が出力されるまでどのくらい時間があるかが重要となる。図２０に示すように、第１減電圧検出から第２減電圧検出までの時間に応じて、第２減電圧検出からリセット信号が出力されるまでの時間の大よその予測を付けることができる。また、クローズ処理には、約５００ｍｓ必要である。
【０１５９】
そこで、８．０Ｖから３．７Ｖに電圧が低下するまでの時間が１秒以上の場合には、リセット信号が発生するまでしばらく時間がかかると考えられるため、第２減電圧検出から１秒後にクローズ処理を開始することとし、８．０Ｖから３．７Ｖに電圧が低下するまでの時間が１秒未満の場合には、リセット信号が早く発生する可能性が高いため第２減電圧検出直後にクローズ処理を開始するようにした。なお、上記の時間設定は一例であって、それに限定されるものではない。
【０１６０】
次に、ＣＰＵ２４は、Ｓ６１で決定された開始時間にクローズ処理を開始する（Ｓ６２）。クローズ処理とは、現在オープン中の全てのファイルをクローズするための処理を言い、これにより、メモリカード６への映像情報の記録が終了される。クローズ処理後は、メモリカードへの書き込みを禁止する。なお、クローズ処理が適切に実施されないと、ファイルに記録された映像情報を後で適切に利用することができなくなるので、クローズ処理は、図１８に示すバックアップ処理の最中であってもバックアップ処理を中断して実行される。
【０１６１】
その後、ＣＰＵ２４は、クローズ処理終了後、ウオッチドックタイマを停止して、リブートを行い（Ｓ６３）、一連の処理を終了する。
【０１６２】
図１８〜図２０に示した、減電圧処理を適切に行うことによって、事故等によって、バッテリ２１が破損したり、ドライブレコーダ２とバッテリ２１との接続が遮断されたりした場合でも、できる限り多くの映像情報等をメモリカード６に記録することが可能となる。
【０１６３】
図２１は、モード切替フローを示す図である。
【０１６４】
ドライブレコーダ２は、表示部３０と接続するための出力ポートを有しており、事故等が発生した場合、その場でメモリカード６に記録された内容を検証できるように構成されている。即ち、本発明に係るドライブレコーダ２は、メモリカード６に映像情報等を記録する記録モードと、メモリカード６に記録された映像情報を再生する再生モードを有している。図２１を用いて、記録モードと再生モードとの切替フローについて説明する。
【０１６５】
最初にＣＰＵ２４は、ドライブレコーダ２の開閉ノブ３１が一旦開状態となったことを開閉センサ２７によって検出すると（Ｓ７０）、ドライブレコーダ２の初期化のためのブートプログラムを起動する（Ｓ７１）。
【０１６６】
次に、メモリカード６がＩ／Ｆ１１に挿入されていることと、メモリカード６が書き込み禁止に設定されているか否かを判断し（Ｓ７２）、そうであることを検出した場合、ＣＰＵ２４は不揮発性ＲＯＭから再生モード用のプログラムをダウンロードして起動させ、それによって、ドライブレコーダ２を再生モードで動作させる（Ｓ７３）。なお、メモリカード６が書き込み禁止に設定されている場合には、メモリカード６の接続端子の内の１つのポートが特定の出力となるためＩ／Ｆ１１を介してＣＰＵ２４において、メモリカード６が書き込み禁止に設定されているか否かの判別をできる。
【０１６７】
次に、ＣＰＵ２４は、ＬＥＤ２５及び／又はブザー２６によって、ドライブレコーダ２が再生モードで動作していることを示して（Ｓ７４）、一連の動作を終了する。
【０１６８】
一方、Ｓ７２において、メモリカード６がＩ／Ｆ１１に挿入されているが、メモリカード６が書き込み禁止に設定されていない場合には、ＣＰＵ２４は不揮発性ＲＯＭから記録モード用のプログラムをダウンロードして起動させ、それによって、ドライブレコーダ２を記録モードで動作させる（Ｓ７５）。
【０１６９】
即ち、通常はメモリカード６を書き込み可の状態でドライブレコーダ２に挿入し、記録モードに設定して、前述したような、記録条件の成立による映像情報等の記録を行う。しかしながら、事故等によって、その場で記録内容を検証したい場合には、一旦メモリカード６を抜いて、メモリカード６を書き込み禁止に設定してから、再度ドライブレコーダ２に挿入すると、メモリカード６に記録された映像情報を再生することができる再生モードに変更させることができる。なお、ドライブレコーダ２と表示部３０とが接続されていない場合や、表示部３０が損傷している場合等には、携帯用の表示装置をドライブレコーダ２の出力スロットに接続すれば良い。また、再生モードの設定方法はこれに限るものではない。例えば、電源投入後所定時間内に撮影スイッチ８を所定操作すれば再生モードに移行させ、所定操作されなければ記録モードに移行させる等種々の方法が考えられる。
【０１７０】
次に、再生モードにおける映像情報の再生方法について説明する。
【０１７１】
図２１のＳ７４において、ＬＥＤ２５及びブザー２６によって、ドライブレコーダ２が再生モードで動作されていることが示された後、ユーザが撮影スイッチ８を押下すると、ブザー２６が停止し、最後に記録したイベントの再生が開始される。仮に、この時点で１５個のイベントがメモリカード６に記録されていた場合には、最後の１５イベント目の再生が開始され、表示部３０に記録されている、通常であれば（延長されない場合）２０秒間分の映像情報が表示される。表示部３０には、映像情報と共に、少なくとも、その映像情報が何番目のイベントであるか、及び記録条件が成立した時刻を表示することが好ましい。
【０１７２】
イベントの映像情報を再生中に、再度撮影スイッチ８を押下すると、再生を停止する。また、再生の停止中に再度、撮影スイッチ８を押下すると、停止した箇所の１秒前から再生が再開される。さらに、１つのイベントに関する映像情報の再生が完了後は、その状態を維持し、再度、撮影スイッチ８が押下されると、同じイベントに関する映像情報の再生を再開する。さらに、撮影スイッチ８を長押しすると、次のイベント、即ち、１つ前に記録されたイベントに関する映像情報の再生を開始する。撮影スイッチ８の長押しを続けることによって、メモリカード６に記録されている全てのイベントに関する映像情報を再生することができる。上記は、ドライブレコーダ２に一つしか備えられていない操作手段である撮影スイッチ８を効果的に利用するための工夫であるが、ドライブレコーダ２に他の操作手段を設けることも可能である。
【０１７３】
また、ＣＰＵ２４は、再生モードに入った後一定時間（例えば、３０秒以上）、撮影スイッチが操作されなかった場合、再度ブート処理（Ｓ７）を行って再起動することが好ましい。これにより、再起動後、再生モードのブザー（Ｓ）を鳴らすことで再生モード解除をユーザに促すことができる。
【０１７４】
図２２は、再生順序を示す図である。
【０１７５】
図２２に示すように、撮影スイッチ８の長押しによって、最後に記録された１５イベント目（Ｓ８０）の再生から、最初に撮影された１イベント目（Ｓ８５）までの再生を制御することが可能である。なお、１イベント目の再生中に再度、撮影スイッチ８を長押しすると、１５イベント目の再生が開始される。
【０１７６】
再生装置４００におけるメモリカード６の利用について説明する。
【０１７７】
図２３は、メモリカード６の運用例のフローを示した図である。
【０１７８】
最初に、ユーザは、利用するメモリカード６を書き込み可能に設定し、再生装置４００のＩ／Ｆ４１１に挿入してカードの初期化を行う（Ｓ１）。カードの初期化では、ＣＰＵ４２４によってそれまでにメモリカード６に記録されていたデータ等が削除され、メモリカード６を利用して運行を行う利用者（例えば、タクシー乗務員）のＩＤが、メモリカード６の所定のアドレスに書き込まれる。
【０１７９】
次に、ユーザは、車両１の運行の開始時に（例えば、タクシー乗務員が、日勤勤務（７：４５〜１７：１５）の開始時に）、書き込み可能に設定され、初期化されたメモリカード６を車両１に配置されたドライブレコーダ２のＩ／Ｆ１１に挿入して、ドライブレコーダ２を記録モードとして、データ記録を開始する（Ｓ２）。前述したように、ＣＰＵ２４は、記録条件が成立した場合には、所定の期間（例えば、２０秒間）の映像情報及び運行情報をメモリカード６に記録する。
【０１８０】
次に、車両１の運行の終了時に（例えば、タクシー乗務員が、日勤勤務の終了時に）、データ記録を終えたメモリカード６をドライブレコーダ２のＩ／Ｆ１１から取り出す。ユーザは、さらに、メモリカード６を再生装置４００のＩ／Ｆ４１１に挿入して、メモリカード６に記録された映像情報、運行情報、メモリカードのＩＤ、及び利用者のＩＤ等を再生装置４００側に読み込ませる（Ｓ３）。
【０１８１】
再生装置４００側では、ＣＰＵ４２４により１車両の１運行に対応してメモリカード６に記録された映像情報、運行情報、メモリカードのＩＤ、及び利用者のＩＤを読み込む。再生装置４００では、メモリカード毎のデータの解析を個別に行うことも可能であるし、複数の車両の複数の運行に対応したデータを複数のメモリカード６から読み込んだ後に、データの解析をまとめて行うことも可能である。更に、１枚のメモリカード６を、複数の車両に用いたり、複数の運行に兼用したりしても良い。
【０１８２】
再生装置４００における視野領域の表示について説明する。
【０１８３】
ドライブレコーダ２では第１カメラ３及び第２カメラ４が映像情報を取得しているが、実際に運転者が周囲を見回している視野とカメラが有する固有の視野とは異なる。
【０１８４】
人の視野とは、人が目の位置を変えずに見渡せる範囲を言い、通常、車両１の静止時の視野は、両眼合わせて左右方向が２００度程度、垂直方向が１１２度程度と言われている。また、車両１の速度が変化すると、近くがぼやけ、遠くだけを見るようになり、その結果運転者の視野が狭くなる。さらに、視野は年齢とともに狭くなる傾向にあるので、高齢の運転者と若年者では視野が異なる。高齢者（例えば６０歳以上）の視野は、若年者（例えば、６０歳未満）の視野に対してその範囲が狭まると言われている。その例として、視野範囲が２０％狭まると考えることができる。図２４は、再生装置４００で利用される水平方向と垂直方向の視野角と車両１の速度の対応表を示す図である。水平方向と垂直方向の視野角によって規定される領域、即ち運転者が目を動かさずに見ることができる領域を視野領域とする。
【０１８５】
そこで、再生装置４００では、ドライブレコーダで取得された映像情報を再生する場合に、運転者が実際に見えている視野範囲を特定し、事故等がどのように発生するか等を検証することを可能としている。また、視野範囲を特定することによって、運転者への安全教育を行う上での利用も可能となる。
【０１８６】
再生装置４００では、ＣＰＵ４２４が、制御プログラム４１７に基づいて、各イベントに関する映像情報を表示部４４０に表示する際に、運行情報における車速データから車両の速度を検出して、図２４に示す対応表（マップとして再生装置４００に記録されている）から視野角を求め、画面上に視野範囲を表示できるように構成されている。
【０１８７】
なお、再生装置４００では、以下の５つの視野範囲再生モードを有しており、操作部４３０の操作によって、ユーザはその内の１つのモードによって、映像情報を再生することができるように構成されている。
【０１８８】
１．固定角度モード：操作部４３０によって指定された水平方向及び垂直方向の視野角度に対応した視野領域のみを表示する。
【０１８９】
２．検出の瞬間の車速モード：記録条件が成立した時点での車速に対応する水平方向及び垂直方向の視野角度に対応した視野領域のみを表示する。
【０１９０】
３．再生位置の車速モード：再生される静止画像毎の車速に対応する水平方向及び垂直方向の視野角度に対応した視野領域を順次表示する。
【０１９１】
４．固定速度モード：操作部４３０によって指定された速度に対応する水平方向及び垂直方向の視野角度に対応した視野領域のみを表示する。
【０１９２】
５．通常モード：視野領域を表示しない。
【０１９３】
また、上記の検出の瞬間の車速モード（２）、再生位置の車速モード（３）及び固定速度モード（４）では、高齢者補正との組み合わせが可能となっている。
【０１９４】
図２５は、メモリカード６に記録された映像情報を表示するための画面例を示す図である。なお、図２５の画面の表示処理及び画面上でのユーザの操作に基づく処理は、ＣＰＵ４２４が、制御プログラム４１７にしたがい、カード情報記憶部４６０に記憶されているデータに基づいて、表示部４４０に表示するものである。
【０１９５】
図２５に示すように、表示部４４０に表示された画面１４０には、メモリカード６のＩＤ番号データ１４１、運行情報に含まれる時刻情報１４２、成立した記録条件を示す種類情報１４３、位置情報の内の緯度データ１４４、位置情報の内の経度データ１４５、及び図１１のフローに従って求められたＧ値１４６、表示される静止画像が撮影されたときの後述する運転状況情報１４７、第１カメラ３で撮像した静止画を順次表示する領域１４８−１、第２カメラ４で撮像した静止画を順次表示する領域１４８−２、第１カメラ３及び第２カメラ４で撮像した静止画の制御をするための操作ボタン１４９（巻き戻し、再生、停止、早送り）、表示される静止画像が撮影されたときの車速情報１５０、選択された視野範囲再生モードの種別を表示する領域１５１、高齢者補正あり・なしを示す領域１５２等が表示されている。
【０１９６】
また、領域１４８−１には、視野範囲を示す第１枠１５３−１及び高齢者補正を行った視野範囲を示す第２枠１５３−２が表示されている。同様に、領域１４８−２には、視野範囲を示す第１枠１５４−１及び高齢者補正を行った視野範囲を示す第２枠１５４−２が表示されている。なお、図２５の例では、領域１５２に示すように、高齢者補正ありとなっているが、高齢者補正を行わない場合には、第２枠１５３−２及び１５４−２は表示されない。なお、第１枠及び第２枠の内外で表示方法を異ならせることによってより視野範囲を明確に表示することができる。
【０１９７】
図２５の例では、領域１５１に示すように検出の瞬間の車速モードが選択されているので、記録条件が成立した時点での車速（例えば、４０ｋｍ／ｈ）に対応する、水平方向の視野角（１４０度）及び垂直方向の視野角（７８度）に対応した視野領域が第１の枠１５３−１として領域１４８−１内に表示されている（図２４参照）。また、記録条件が成立した時点での車速（例えば、４０ｋｍ／ｈ）に対応する、高齢者補正をした場合の水平方向の視野角（１１２度）及び垂直方向の視野角（６３度）に対応した視野領域が第２の枠１５３−２として領域１４８−１内に表示されている（図２４参照）。また、領域１４８−２についても同様である。
【０１９８】
図２５に示す画面１４０では、ユーザが、操作ボタン１４９を制御することによって、第１カメラ３で撮像した１０秒分の１００枚の静止画及び第２カメラ４で撮像した１０秒分の１００枚の静止画が、表示領域１４８−１及び１４８−２に順次切換わりながら表示される。また、同時に、表示された静止画に対応した情報が、表示・入力領域１４１〜１４７，１５０に表示される。なお、図２５に示す画面１４０は一例であって、他の画面構成を選択することができる。
【０１９９】
本実施の形態では、図２５に示すように、メモリカード６に記録された映像情報に視野範囲を重ねて表示しているので、運転者が実際に視野に入れている領域とそうでない領域を区別しながら、ドライブレコーダで取得された映像情報を検証することが可能となった。また、年齢に応じて視野範囲を修正する場合には、さらに運転者の視野範囲を実際の状況に近づけることが可能となった。
【０２００】
尚、図２５では記録条件と映像情報を同じ画面上に表示するようにしたが、必ずしも両者を同じ画面上に表示する必要はなく、例えば記録条件を表示させるための操作ボタンを画像と同じ画面に表示させ、その操作ボタンを操作すると記録条件を別ウィンドとして表示させるようにしてもよい。
【０２０１】
図２６は運転状況分類処理フローを示す図である。
【０２０２】
メモリカード６には、前述したように、所定の記録条件が成立した場合のイベントに関する映像情報等が記録されている。しかしながら、どのような運転がなされて、記録条件が成立したかを分類することは、再生装置４００において、記録された映像情報等を検証する場合に重要である。そこで、再生装置４００では、記録された映像情報及び運行情報を利用して、図２６に示す処理フローに従い、各イベントを自動的に分類する機能を持たせている。
【０２０３】
分類を行う運転状況は、「急発進」、「急ブレーキ」、「通常ブレーキ」、「左急ハンドル」及び「右急ハンドル」の５つである。
【０２０４】
最初に、ＣＰＵ４２４は、所定のイベントを選択し、一方のカメラに関する、記録条件が成立した時点の前後３０枚の静止画像のそれぞれに対応するＧ１値（加速度センサ５における車両１の前後方向に平行な軸の出力）、Ｇ２値（加速度センサ５における車両１の左右方向に平行な軸の出力）、及び車速データをサンプルデータとして取得する（Ｓ９０）。
【０２０５】
次に、ＣＰＵ４２４は、各サンプル毎に、そのサンプルの前後１０点の値に最小二乗法を適用し、各サンプルにおける変化の傾きを算出する（Ｓ９１）。さらに、記録条件が成立した前後における、各サンプルの傾き波形のピークを特定する（Ｓ９２）。
【０２０６】
次に、ＣＰＵ４２４は、後述する予め定められた各運転状況を特定するピークマスタファイルとＳ９２で求められたピークとの関係から、対象とするイベントの運転状況を特定して（Ｓ９３）、一連の処理を終了する。なお、各イベントについて特定された運転状況は、各イベントに関する映像情報が表示部４４０に表示する際に表示される（図２５の領域１４７参照）。また、特定された運転状況は各運転状況毎に設定されたアイコンとして画像上の例えば右上隅に画像と重ねて表示される。これにより再生中のイベントの運転状況を適切に把できる。また運転状況の分類でイベントを検索し、絞り込むことができる。これにより、確認したい運転状況のみを抽出し画像を再生することができる。
【０２０７】
図２７は、サンプル列等を示す図である。縦軸はＧ１値、横軸は時間を示し、ｔ＝０の時点が記録条件が成立した時刻に対応している。
【０２０８】
図２７には、図２６のＳ９０に従って取得された所定のイベントに関するＧ１値のサンプル列２００が示されている。また、波形２１０は、図２６のＳ９１に従って求めた、サンプル列２００を構成する各サンプルの傾きを結んだ傾き波形である。さらに、点２２０は記録条件の成立前における波形２１０のピークを示し、点２３０は記録条件の成立後における波形２１０のピークを示している。
【０２０９】
図２８は、ピークマスタファイルの一例を示す図である。
【０２１０】
図２８に示すように、前述した５つの運転状況に対応した、Ｇ１値、Ｇ２値及び車速に関するピーク値（図２６のＳ９２参照）がとりうる範囲、即ち上限及び下限が、記録条件の成立時の前後において規定されており、図２６のＳ９２で特定したピーク値が図２８の各運転状況のどの上下限内の範囲に入っているかを特定することにより、運転状況を特定する（図２６のＳ９３）。なお、図２８において、網掛け部分がピークが規定されている部分であって、他の箇所ではピーク値は規定されていない。
【０２１１】
例えば、図２７の例において、Ｇ１値に関する波形２１０の点２２０の値が１．５、点２３０の値が−１．５であったとすると、図２８のピークマスタファイルに基づいて、「急ブレーキ」の運転状況であったと判断される。
【０２１２】
なお、図２８に示すピークマスタファイルに規定される各値は、図２９に示す表示部４４０に表示する編集画面１６０を利用して修正することができるようにすることが好ましい。なお、図２９に示す編集画面１６０は、急発進に関する条件を修正するためのものである。また図２８に示すピークマスタファイルに規定される値は一例であって、他の値を採用することも可能であり、また条件として車速を加味することも可能である。
【０２１３】
図３０は、急発進の運転状況を示す典型的なパターンを示す図である。
【０２１４】
図３０（ａ）はＧ２値のサンプル列３００を示し、図３０（ｂ）はＧ１値のサンプル列３０１を示し、図３０（ｃ）は車速のサンプル列３０２を示している。いずれの図においても、記録条件の成立時刻をＴ＝０としている。
【０２１５】
Ｇ１値、Ｇ２値及び車速のサンプル列からそれぞれ各サンプルの傾き波形を求め、それらの記録条件成立前後のピーク値に基づいて、運転状況が判断される。図３０の場合では、Ｇ１値のサンプル列３０１から各サンプルの傾き波形３０３を求め、その記録条件の成立前のピーク値３０４が、−０．２〜−２．０の間にあることから急発進と判断された。
【０２１６】
図３１は、急ブレーキの運転状況を示す典型的なパターンを示す図である。
【０２１７】
図３１（ａ）はＧ２値のサンプル列３１０を示し、図３１（ｂ）はＧ１値のサンプル列３１１を示し、図３１（ｃ）は車速のサンプル列３１２を示している。いずれの図においても、記録条件の成立時刻をＴ＝０としている。
【０２１８】
Ｇ１値、Ｇ２値及び車速のサンプル列からそれぞれ各サンプルの傾き波形を求め、それらの記録条件成立前後のピーク値に基づいて、運転状況が判断される。図３１の場合では、Ｇ１値のサンプル列３１１から各サンプルの傾き波形３１３を求め、その記録条件の成立前のピーク値３１４が、３．０〜０．５の間であり、その記録条件の成立後のピーク値３１５が−０．４〜−３．０の間であることから急ブレーキと判断された。
【０２１９】
図３２は、通常ブレーキの運転状況を示す典型的なパターンを示す図である。
【０２２０】
図３２（ａ）はＧ２値のサンプル列３２０を示し、図３２（ｂ）はＧ１値のサンプル列３２１を示し、図３２（ｃ）は車速のサンプル列３２２を示している。いずれの図においても、記録条件の成立時刻をＴ＝０としている。
【０２２１】
Ｇ１値、Ｇ２値及び車速のサンプル列からそれぞれ各サンプルの傾き波形を求め、それらの記録条件成立前後のピーク値に基づいて、運転状況が判断される。図３２の場合では、Ｇ１値のサンプル列３２１から各サンプルの傾き波形３２３を求め、その記録条件の成立前のピーク値３２４が、０．５〜０．０５の間であり、その記録条件の成立後のピーク値３２５が−０．０５〜−０．５の間であることから通常ブレーキと判断された。
【０２２２】
図３３は、左急ハンドルの運転状況を示す典型的なパターンを示す図である。
【０２２３】
図３３（ａ）はＧ２値のサンプル列３３０を示し、図３３（ｂ）はＧ１値のサンプル列３３１を示し、図３３（ｃ）は車速のサンプル列３３２を示している。いずれの図においても、記録条件の成立時刻をＴ＝０としている。
【０２２４】
Ｇ１値、Ｇ２値及び車速のサンプル列からそれぞれ各サンプルの傾き波形を求め、それらの記録条件成立前後のピーク値に基づいて、運転状況が判断される。図３３の場合では、Ｇ２値のサンプル列３３０から各サンプルの傾き波形３３３を求め、その記録条件の成立前のピーク値３３４が、２．０〜０．１の間であることから左急ハンドルと判断された。
【０２２５】
図３４は、右急ハンドルの運転状況を示す典型的なパターンを示す図である。
【０２２６】
図３４（ａ）はＧ２値のサンプル列３４０を示し、図３４（ｂ）はＧ１値のサンプル列３４１を示し、図３３（ｃ）は車速のサンプル列３４２を示している。いずれの図においても、記録条件の成立時刻をＴ＝０としている。
【０２２７】
Ｇ１値、Ｇ２値及び車速のサンプル列からそれぞれ各サンプルの傾き波形を求め、それらの記録条件成立前後のピーク値に基づいて、運転状況が判断される。図３４の場合では、Ｇ２値のサンプル列３４０から各サンプルの傾き波形３４３を求め、その記録条件の成立前のピーク値３４４が、−０．１〜−２．０の間であることから右急ハンドルと判断された。
【０２２８】
上述したように、各イベントに関して、映像情報等が記録された場合の運転状況を分類することが可能となるので、再生装置４００において、より定量的に、データの検証を行うことが可能となった。
【符号の説明】
【０２２９】
１    車両
２    ドライブレコーダ
３    第１カメラ
４    第２カメラ
５    加速度センサ
６    メモリカード
７    マイクロフォン
８    撮影スイッチ
９    ＧＰＳ受信機
１０    車速センサ
１１    インターフェイス
１２    ビデオスイッチ
１３    画像処理回路
１４    第１ＲＡＭ
１５    第２ＲＡＭ
１６    不揮発性ＲＯＭ
１７    制御プログラム
１８    表示灯
１９    アクセサリスイッチ
２０    電源スイッチ
２１    バッテリ
２２    電源制御回路
２４    ＣＰＵ
２５    ＬＥＤ
２６    ブザー
２７    開閉スイッチ
２８    ＲＴＣ
３０    表示部
３１    開閉ノブ
４０    第１電源回路
４１    第２電源回路
４２    第３電源回路
４３    第１検出部
４４    第２検出部
４５    第３検出部
４６    バックアップバッテリ
４００    再生装置
４２４    ＣＰＵ
４３０    操作部
４４０    表示部
４５０    地図情報記憶部
４６０    カード情報記憶部
【図１】
2010061671.tif 000003
【図２】
2010061671.tif 000004
【図３】
2010061671.tif 000005
【図４】
2010061671.tif 000006
【図５】
2010061671.tif 000007
【図６】
2010061671.tif 000008
【図７】
2010061671.tif 000009
【図８】
2010061671.tif 000010
【図９】
2010061671.tif 000011
【図１０】
2010061671.tif 000012
【図１１】
2010061671.tif 000013
【図１２】
2010061671.tif 000014
【図１３】
2010061671.tif 000015
【図１４】
2010061671.tif 000016
【図１５】
2010061671.tif 000017
【図１６】
2010061671.tif 000018
【図１７】
2010061671.tif 000019
【図１８】
2010061671.tif 000020
【図１９】
2010061671.tif 000021
【図２０】
2010061671.tif 000022
【図２１】
2010061671.tif 000023
【図２２】
2010061671.tif 000024
【図２３】
2010061671.tif 000025
【図２４】
2010061671.tif 000026
【図２５】
2010061671.tif 000027
【図２６】
2010061671.tif 000028
【図２７】
2010061671.tif 000029
【図２８】
2010061671.tif 000030
【図２９】
2010061671.tif 000031
【図３０】
2010061671.tif 000032
【図３１】
2010061671.tif 000033
【図３２】
2010061671.tif 000034
【図３３】
2010061671.tif 000035
【図３４】
2010061671.tif 000036